(57)【要約】【課題】  指針式表示装置の電源がＯＦＦになる場合において、ユーザに対して視覚的に訴える魅力のある表示装置を提供する。【解決手段】  操作対象の操作動作内容を表示する文字やイラスト２や目盛り４が複数配置された文字盤１と、文字２等のいずれか１つを指すように駆動される指針３と、指針３を駆動するステッパモータと、操作対象の操作動作状態に対応した文字２等に指針３を移動させるように、ステッパモータを制御する制御部とを備える指針式表示装置において、制御部に対して、イグニッションスイッチがＯＮからＯＦＦになった場合に、実際のエアコンシステムの操作動作状態に対応した文字やイラスト２、目盛り４の位置からゼロ点まで、各表示器１１ａ〜１１ｃの指針３を、同時に移動開始させ、同じ移動速度で移動させるように、ステッパモータを制御させる。【選択図】        図８
2006250615.tif 000002
【特許請求の範囲】
【請求項１】
操作対象の操作動作内容を表示する表示部（２、４）が複数配置された文字盤（１）と、
前記複数の表示部（２、４）のいずれか１つを指すように駆動される指針部（３）と、
前記指針部（３）を駆動する駆動部（２６）と、
前記操作対象の操作動作状態に対応した前記表示部（２、４）に前記指針部（３）を移動させるように、前記駆動部（２６）を制御する制御部（５１、５２）とを備える指針式表示装置において、
前記制御部（５１、５２）は、前記指針式表示装置の電源がオフになる場合に、前記指針部（３）を、前記操作対象の操作動作状態に対応した前記表示部（２、４）の位置から、所定の停止位置に、所定の動作で移動させるように、前記駆動部（２６）を制御するようになっていることを特徴とする指針式表示装置。
【請求項２】
１つの前記文字盤（１）に対応して配置された１つの前記指針部（３）を一組として、前記文字盤（１）および前記指針部（３）を複数組備えており、
前記停止位置は、すべての組の前記文字盤（１）および前記指針部（３）で同じ位置であり、
前記制御部（５１、５２）は、すべての前記指針部（３）を、同時に移動開始させ、同じ速度で移動させるように、前記駆動部（２６）を制御するようになっていることを特徴とする請求項１に記載の指針式表示装置。
【請求項３】
１つの前記文字盤（１）に対応して配置された１つの前記指針部（３）を一組として、前記文字盤（１）および前記指針部（３）を複数組備えており、
前記停止位置は、すべての組の前記文字盤（１）および前記指針部（３）で同じ位置であり、
前記制御部（５１、５２）は、すべての前記指針部（３）を、同時に前記停止位置に到達させるように、前記駆動部（２６）を制御するようになっていることを特徴とする請求項１に記載の指針式表示装置。
【請求項４】
前記制御部（５１、５２）は、すべての前記指針部（３）を同時に移動開始させ、かつ、すべての前記指針部（３）が同時に前記停止位置に到達するように、前記指針部（３）の移動速度を前記停止位置までの移動距離に応じた速度として、前記駆動部（２６）を制御するようになっていることを特徴とする請求項３に記載の指針式表示装置。
【請求項５】
前記制御部（５１、５２）は、すべての前記指針部（３）を同じ速度で移動させ、かつ、すべての前記指針部（３）が同時に前記停止位置に到達するように、前記指針部（３）の前記停止位置までの移動距離に応じて、前記指針部（３）の移動の開始時期を異ならせて、前記駆動部（２６）を制御するようになっていることを特徴とする請求項３に記載の指針式表示装置。
【請求項６】
前記制御部（５１、５２）は、すべての前記指針部（３）を前記停止位置とは異なる他の同じ位置に移動させた後、すべての前記指針部（３）を、同時に移動開始させ、同じ速度で前記停止位置まで移動させるように、前記駆動部（２６）を制御するようになっていることを特徴とする請求項３に記載の指針式表示装置。
【請求項７】
１つの前記文字盤（１）に対応して配置された１つの前記指針部（３）を一組として、前記文字盤（１）および前記指針部（３）を複数組備えており、
前記停止位置は、すべての組の前記文字盤（１）および前記指針部（３）で同じ位置であり、
前記制御部（５１、５２）は、複数の前記指針部（３）のうちの１つを移動開始させた後、隣に位置する他の前記指針部（３）を移動開始させるように、前記駆動部（２６）を制御するようになっていることを特徴とする請求項１に記載の指針式表示装置。
【請求項８】
少なくとも前記文字盤（１）および前記指針部（３）のどちらか一方を照明する照明装置（２４、２８）を有し、
前記制御部（５１、５２、５４）は、照明装置（２４、２８）の点灯、消灯を制御するようになっており、
前記制御部（５１、５２、５４）は、前記指針部（３）を前記停止位置に移動させた後、前記照明装置（２４、２８）が点灯している場合、前記照明装置（２４、２８）を消灯させる制御を行うようになっていることを特徴とする請求項１ないし７のいずれか１つに記載の指針式表示装置。
【請求項９】
前記指針部（３）と前記文字盤（１）の少なくとも一方を照明する指針式表示装置用の照明装置（２４、２８）を有し、
前記制御部（５１、５２、５４）は、前記照明装置（２４、２８）を消灯させる制御を行うようになっており、
前記制御部（５１、５２、５４）は、イグニッションスイッチがオンからオフになった場合に、車両用計器が有する計器用照明装置の消灯に対応させて、前記指針式表示装置の前記照明装置（２４、２８）を消灯させる制御を行うようになっていることを特徴とする請求項１ないし７のいずれか１つに記載の指針式表示装置。
【請求項１０】
前記制御部（５１、５２、５４）は、前記車両用計器を制御する計器制御部（５６）から、前記計器用照明装置の点灯に関する第２の同期信号が入力されるようになっており、
前記制御部（５１、５２、５４）は、入力された前記第１の同期信号に基づいて、前記指針式表示装置の前記照明装置（２４、２８）を消灯させる制御を行うようになっていることを特徴とする請求項９に記載の指針式表示装置。
【請求項１１】
前記制御部（５１、５２）は、前記イグニッションスイッチがオンからオフになった場合に、車両用計器が有する計器用指針部の動きに対応させて、前記指針式表示装置の前記指針部（３）を移動させるように、前記駆動部（２６）を制御するようになっていることを特徴とする請求項１ないし１０のいずれか１つに記載の指針式表示装置。
【請求項１２】
前記制御部（５１、５２）は、前記車両用計器を制御する計器制御部（５６）から、前記車両用計器の計器用指針部の動きに関する第２の同期信号が入力されるようになっており、
前記制御部（５１、５２）は、入力された前記第１の同期信号に基づいて、前記駆動部（２６）を制御するようになっていることを特徴とする請求項１１に記載の指針式表示装置。
【請求項１３】
ユーザによって操作され、前記操作に応じて、前記制御部（５１、５２）に対して、移動目標の前記表示部（２、４）を指示するための操作部（１２）を有し、
前記操作部（１２）は、その内側が開口したリング形状であって、回転可能となっており、
前記操作部（１２）の前記内側に、前記文字盤（１）、前記複数の表示部（２、４）、前記指針部（３）が配置されていることを特徴とする１ないし１２のいずれか１つに記載の指針式表示装置。
【発明の詳細な説明】
【技術分野】
【０００１】
本発明は、指針式表示装置に関するものである。
【背景技術】
【０００２】
従来、表示装置として、例えば、自動車用空調装置（カーエアコン）の操作パネル（エアコンパネル）があり、エアコンパネルとして、送風ファン速度、吹き出しモード、設定温度等のカーエアコンの制御状態をセグメントにより表示するものがある。
【０００３】
一方、他のエアコンパネルとして、スピードメータ等のアナログメータと同様に、指針を用いて、設定温度等のカーエアコンの制御状態を表示するものがある（例えば、特許文献１参照）。
【特許文献１】特開２００２−７１３８９号公報
【発明の開示】
【発明が解決しようとする課題】
【０００４】
しかし、上記したような従来のエアコンパネルでは、その電源がオフとなったとき、単に、表示が消えたり、指針が停止したりするだけで、ユーザに対して、視覚的に訴える魅力という点が欠けていた。
【０００５】
本発明は、上記点に鑑み、指針式表示装置の電源がオフになる場合において、ユーザに対して視覚的に訴える魅力のある表示装置を提供することを目的とする。
【課題を解決するための手段】
【０００６】
上記目的を達成するため、請求項１に記載の発明では、制御部（５１、５２）が、指針式表示装置の電源がオフになる場合に、指針部（３）を、操作対象の操作動作状態に対応した表示部（２、４）の位置から、所定の停止位置に、所定の動作で移動させるように、駆動部（２６）を制御するようになっていることを特徴としている。
【０００７】
これにより、指針式表示装置の電源がオフになる場合において、指針部によって視覚的な演出を図ることができる。この結果、魅力のある指針式表示装置を提供することができる。
【０００８】
なお、指針式表示装置の電源がオフになる場合とは、指針式表示装置の電源オフのスイッチがユーザに押される等により、制御部が電源オフの指示を受け、電源オフモードになる場合を意味する。
【０００９】
停止位置については、例えば、一番左端の表示部の位置（いわゆるゼロ点）とすることができる。
【００１０】
また、請求項２に示すように、１つの文字盤（１）に対応して配置された１つの指針部（３）を一組として、文字盤（１）および指針部（３）を複数組備えており、停止位置は、すべての組の文字盤（１）および指針部（３）で同じ位置である場合では、所定の動作を、例えば、すべての指針部（３）が同時に移動開始し、同じ速度で移動する動作とすることができる。
【００１１】
なお、停止位置が同じ位置とは、各組における文字盤に対する指針部の位置が同じことを意味する。
【００１２】
また、同様の場合では、請求項３に示すように、所定の動作を、すべての指針部（３）が同時に停止位置に到達する動作とすることができる。
【００１３】
具体的には、例えば、請求項４に示すように、すべての指針部（３）を同時に移動開始させ、かつ、すべての指針部（３）が同時に停止位置に到達するように、指針部（３）の移動速度を停止位置までの移動距離に応じた速度とする。
【００１４】
すなわち、移動距離が長い指針部ほど移動速度を速くすることで、すべての指針部を停止位置に同時に到達させることができる。
【００１５】
他の例として、請求項５に示すように、すべての指針部（３）を同じ速度で移動させ、かつ、すべての指針部（３）が同時に停止位置に到達するように、指針部（３）の停止位置までの移動距離に応じて、指針部（３）の移動の開始時期を異ならせる。
【００１６】
このように、指針部の停止位置までの移動距離に応じて、指針部が移動を開始するタイミングを異ならせることで、すべての指針部を同時にゼロ点に到達させることができる。
【００１７】
また、他の例として、請求項６に示すように、すべての指針部（３）を停止位置とは異なる他の同じ位置に移動させた後、すべての指針部（３）を、同時に移動開始させ、同じ速度で停止位置まで移動させる。
【００１８】
すべての指針部を、例えば、一度、一番右端の表示部の位置（ＭＡＸの位置）に移動させた後、同じ速度でゼロ点に移動させるようにすることで、すべての指針部を同時にゼロ点に到達させることができる。
【００１９】
また、請求項７に示すように、１つの文字盤（１）に対応して配置された１つの指針部（３）を一組として、文字盤（１）および指針部（３）を複数組備えており、停止位置は、すべての組の文字盤（１）および指針部（３）で同じ位置である場合、所定の動作を、複数の指針部（３）のうちの１つが移動開始した後、隣に位置する他の指針部（３）が移動開始する動作とすることもできる。
【００２０】
これにより、例えば、指針部の動きを、スタジアムで観客が行うウェーブのように見せることができ、指針部の演出効果を高めることができる。なお、指針の移動が開始し、移動が完了する前に、隣の指針の移動を開始させたり、移動が完了した後に、隣の指針の移動を開始させたりすることができる。
【００２１】
また、請求項８に示すように、少なくとも文字盤（１）および指針部（３）のどちらか一方を照明する照明装置（２４、２８）を有し、制御部（５１、５２、５４）が、照明装置（２４、２８）の点灯、消灯を制御するようになっている場合では、制御部（５１、５２、５４）に、指針部（３）を停止位置に移動させた後、照明装置（２４、２８）が点灯している場合、照明装置（２４、２８）を消灯させる制御を行わせることができる。
【００２２】
例えば、複数組の文字盤および指針部を備える場合であって、指針部がゼロ点に到達する時期が異なる場合では、指針部がゼロ点に到達したものから順に、照明装置を消灯させるようにすることもできる。
【００２３】
また、請求項９に示すように、指針部（３）と文字盤（１）の少なくとも一方を照明する指針式表示装置用の照明装置（２４、２８）を有し、制御部（５１、５２、５４）が、照明装置（２４、２８）を消灯させる制御を行うようになっている場合では、制御部（５１、５２、５４）に、イグニッションスイッチがオンからオフになった場合に、車両用計器が有する計器用照明装置の消灯に対応させて、指針式表示装置の照明装置（２４、２８）を消灯させる制御を行わせることができる。
【００２４】
指針式表示装置を車両用空調装置の操作パネルに適用した場合では、例えば、イグニッションスイッチがオンからオフになった場合にタイマーをスタートさせ、所定時間後に、指針部を移動させることができる。
【００２５】
もしくは、請求項１０に示すように、制御部（５１、５２、５４）に、車両用計器を制御する計器制御部（５６）から、計器用照明装置の点灯に関する第１の同期信号が入力されるようになっている場合では、制御部（５１、５２、５４）に、入力された第２の同期信号に基づいて、指針式表示装置の照明装置（２４、２８）を消灯させる制御を行わせることができる。
【００２６】
また、請求項１１に示すように、制御部（５１、５２）に、イグニッションスイッチがオンからオフになった場合に、車両用計器が有する計器用指針部の動きに対応させて、指針式表示装置の指針部（３）を移動させるように、駆動部（２６）を制御させることができる。
【００２７】
指針式表示装置を車両用空調装置の操作パネルに適用した場合、イグニッションスイッチがオンからオフになったとき、計器用指針部が、所定の停止位置に移動するようになっている場合がある。また、イグニッションスイッチがオンからオフになった場合に、指針式表示装置の電源がオフとなる。
【００２８】
そこで、イグニッションスイッチがオンからオフになった場合では、計器用指針部の動きに対応させて、指針式表示装置の指針部（３）を移動させることが好ましい。
【００２９】
例えば、イグニッションスイッチがオンからオフになった場合にタイマーをスタートさせ、所定時間後に、指針部を移動させることができる。
【００３０】
もしくは、請求項１２に示すように、制御部（５１、５２）に、車両用計器を制御する計器制御部（５６）から、車両用計器の計器用指針部の動きに関する第２の同期信号が入力されるようになっている場合では、制御部（５１、５２）に、入力された第２の同期信号に基づいて、駆動部（２６）を制御させることができる。
【００３１】
また、上記した各請求項の発明を、請求項１３に示すように、ユーザによって操作され、操作に応じて、制御部（５１、５２）に対して、移動目標の表示部（２、４）を指示するための操作部（１２）を有し、操作部（１２）は、その内側が開口したリング形状であって、回転可能となっており、操作部（１２）の内側に、文字盤（１）、複数の表示部（２、４）、指針部（３）が配置されている指針式表示装置に適用することができる。
【００３２】
なお、上記各手段の括弧内の符号は、後述する実施形態に記載の具体的手段との対応関係を示す一例である。
【発明を実施するための最良の形態】
【００３３】
（第１実施形態）
本実施形態では、指針式表示装置を車両のエアコンパネルに適用した場合を例として説明する。したがって、本実施形態では、カーエアコンが本発明の操作対象に相当する。図１に、本発明の第１実施形態における指針式表示装置の正面図を示す。
【００３４】
本実施形態の指針式表示装置は、表示器１１とダイアルノブ１２の配置が従来の指針式表示装置と異なるものであるが、基本的な構成は、従来の指針式表示装置と同じである。また、本実施形態の指針式表示装置は、エアコンパネルの電源ＯＦＦ時での指針の動きや、エアコンパネルの照明の消灯の仕方が従来の表示装置と異なっている。
【００３５】
図１に示すように、本実施形態の指針式表示装置は、３つの表示器１１と、３つの操作部としてのベゼルダイアルノブ１２と、４つの操作ボタン１３と、カバー１４とを有している。なお、以下では、ベゼルダイアルノブ１２をベゼル１２と呼ぶ。
【００３６】
ベゼル１２は内側が開口したリング形状である。なお、本実施形態では、後述するが、スモークレンズ２１がベゼル１２の内側に配置されている。このため、ベゼル１２の内側は、実際には開口していないが、スモークレンズ２１が透明であるため、ベゼル１２の内側が開口しているように視認される。
【００３７】
そして、各ベゼル１２の内側に、１つずつ表示器１１が配置されている。言い換えると、表示器１１の外周にベゼル１２が配置されている。したがって、本実施形態では、表示器１１とベゼル１２とが一体化している。
【００３８】
このように、表示器１１とベゼル１２とを一体化させることで、ユーザに対して、あたかも、表示器１１に表示されている操作動作内容を操作する操作スイッチが存在しないように見せることができる。これにより、エアコンパネルの外観をすっきりさせることができ、外観が煩雑であることによるユーザの操作の混乱を抑制することができる。
【００３９】
なお、このように配置された１つの表示器１１と１つのベゼル１２とを一組として、３組の表示器およびベゼル１２が、独立して、３つ存在している。
【００４０】
３つの表示器１１は、カーエアコンに関連する内容を表示するものである。３つの表示器１１は、文字盤１と、指針部としての指針３とを有している。文字盤１には、文字やイラスト２や目盛り４が円弧状に配置されている。文字やイラスト２や目盛り４が本発明の表示部に相当し、１つの表示器における文字盤１および指針３が本発明の一組の文字盤および指針部に相当する。
【００４１】
具体的には、図１中の左側に位置する表示器１１ａは、送風ファン速度に関連する情報を表示するものであり、文字盤１に「ＯＦＦ」、「ＬＯ」、「１」、「２」、「ＨＩ」の文字２や、目盛り４が示されている。
【００４２】
図１中の中央に位置する表示器１１ｂは、吹き出しモードに関連する情報を表示するものであり、文字盤１に、「足元吹き出し」、「バイレベル吹き出し」、「頭部吹き出し」、「足元＋デフォッガ吹き出し」、「デフォッガ吹き出し」のイラスト２や目盛り４が示されている。
【００４３】
図１中の右側に位置する表示器１１ｃは、温度に関連する情報を表示するものであり、文字盤１に、温度を表す数字２や目盛り４が示されている。
【００４４】
ベゼル１２は、いわゆるダイアルスイッチの一部であり、ベゼル１２の中央を中心として、ベゼル１２の外周方向に沿って、その場で回転するようになっている。また、ベゼル１２は、文字盤１と独立して回転するようになっている。ベゼル１２がユーザによって操作されることにより、指針３が所望の文字やマーク２を指し、かつ、カーエアコンが所望の操作動作を実行する。
【００４５】
図２に、ベゼル１２の動きと指針３の動きとを説明するための図を示す。図２は、図１に対応する図であるが、操作ボタン１３を省略している。ベゼル１２は、図２中の実線の矢印で示すように、文字盤１に対して時計回りや、図２中の破線の矢印で示すように、反時計回りのどちらの方向にも回転可能となっている。
【００４６】
また、ベゼル１２は、例えば、６０°ずつ回転するようになっている。すなわち、ベゼル１２は、図２に示すように、文字盤１の外周部に示された小さな円と、ベゼル１２に示された小さな円とが一致する位置で止まるようになっている。なお、これらの小さな円は、ここでの説明のために、図２中に便宜上示したものである。
【００４７】
そして、送風ファン速度を表示する表示器１１ａと吹き出しモードを表示する表示器１１ｂでは、ベゼル１２が６０°回転する毎に、指針３が、例えば６０°ずつ移動するようになっている。一方、温度を表示する表示器１１ｃでは、ベゼル１２が６０°回転する毎に、指針３が一目盛りずつ移動するようになっている。
【００４８】
このように、ベゼル１２と指針３の回転角度を同じ設定にしたり、異なる設定にしたりすることができる。なお、ベゼル１２の回転角度は、任意に設定可能である。
【００４９】
また、ベゼル１２によってカーエアコンが操作される場合では、例えば、送風ファン速度を表示する表示器１１ａでは、設定が５段階であり、指針３は、「ＯＦＦ」、「ＬＯ」、「１」、「２」、「ＨＩ」のいずれか１つを指し示す。これに対して、カーエアコンが自動で制御されている場合では、設定が５段階以上あり、「ＯＦＦ」から「ＨＩ」の間のいずれかの部分を、指し示すようになっている。
【００５０】
また、図１に示すように、操作ボタン１３は、隣り合うベゼル１２同士の間に配置されている。操作ボタン１３は、カーエアコン設定用の操作ボタン（Ａ／Ｃボタン）１３、自動送風設定用の操作ボタン（ＡＵＴＯボタン）１３、デフォッガの操作ボタン（リヤＤＥＦボタン）１３、エアー循環モード設定用の操作ボタン（内外気ボタン）１３である。そして、カバー１４によって、表示器１１、ベゼル１２、操作ボタン１３を除く領域が覆われている。
【００５１】
次に、指針式表示装置の機械的構成（内部構造）を説明する。図３、４、５に、それぞれ、図１中のＡ−Ａ線断面図、Ｂ−Ｂ線断面図、Ｃ−Ｃ線断面図を示す。図３、４では図中上側が、図５では図中左側が、指針式表示装置の前面側である。前面とはユーザに視認される面をいう。
【００５２】
本実施形態の指針式表示装置は、図３、５に示すように、ベゼル１２の内側において、指針式表示装置の前面側から、スモークレンズ２１、文字盤１、導光レンズ２２、指針３が順に配置されている。
【００５３】
文字盤１は導光レンズ２２と一体に成形されており、透明なアクリル樹脂からなる。文字盤１には文字やマーク２、目盛り４が透光性着色層として印刷されている。文字盤１のうち、これら透光性着色層を除く領域は透明とされている。このため、文字盤照明用ＬＥＤ２４および後述する指針照明用ＬＥＤ２８が点灯すると、文字盤１を通して、文字やマーク２、目盛り４、ならびに指針３が重畳した状態でこれらを視認できるようにされている。
また、導光レンズ２２も含めて文字盤１は、円形状となっている。これは、文字盤１が、筒状であるベゼル１２の内部に配置されているためである。
【００５４】
また、文字盤１は、ベゼル１２と別体であり、文字盤用ハウジング２３に固定されている。このように、文字盤１は、文字盤用ハウジング２３に固定されているため、ベゼル１２が回転しても、文字盤１は回転しない。
【００５５】
導光レンズ２２は、図５に示すように、文字盤照明用ＬＥＤ２４の光を文字盤１に導くものである。この導光レンズ２２、照明装置としての文字盤照明用ＬＥＤ２４により、文字盤１が照明されるようになっている。
【００５６】
文字盤照明用ＬＥＤ２４は、図４、５に示すように、第１の回路基板２５上に設けられている。第１の回路基板２５は、文字盤用ハウジング２３に固定されている。第１の回路基板２５には、図示しないが、照明用制御部としてのＩＣチップが設けられている。なお、文字盤照明用ＬＥＤ２４は、図５に示すように、指針３の下側に配置されている。
【００５７】
指針３は、透明なアクリル樹脂から構成されており、その先端からステップモータ２６との接続部の略全長に渡って透光性着色層が形成され、この着色層を除く領域は遮光層が形成されており、後述する指針照明用ＬＥＤ２８が点灯すると、この着色層が発光するようにされている。
【００５８】
指針３は、駆動部としてのステッパモータ２６の回転軸２６ａと接続されている。ステッパモータ２６により、指針３が駆動するようになっている。ステッパモータ２６は、ステッパモータ用の第２の回路基板２７上に設けられている。また、第２の回路基板２７には、図示しないが、駆動制御部としてのＩＣチップが設けられている。
【００５９】
また、指針３を照明する照明装置としての指針照明用ＬＥＤ２８は、指針３の裏側に配置されている。指針照明用ＬＥＤ２８は、第３の回路基板２９に固定されている。第３の回路基板２９は文字盤用ハウジング２３に固定されている。第３の回路基板２９には、図示しないが、照明制御部としてのＩＣチップが設けられている。
【００６０】
スモークレンズ２１は、ベゼル１２に固定されている。スモークレンズ２１は透過率を低く設定されており、文字盤１のＬＥＤ２４および指針３のＬＥＤ２８の点灯時には、その文字盤１の文字やマーク２、目盛り４、ならびに指針３が視認され、それらの消灯時には文字盤１の文字やマーク２、目盛り４、ならびに指針３が視認されないように文字盤１の全体がブラックフェースとなるように上記透過率が設定されている。なお、デザインの観点からスモークレンズ２１を省略することもできる。
【００６１】
ベゼル１２は、図３、５に示すように、ベゼル用ハウジング３０と、結合部３１を介して、結合されている。ベゼル用ハウジング３０は、ロータリースイッチ３２と接続されている。ベゼル１２が回ることで、ベゼル用ハウジング３０を介して、ロータリースイッチ３２の切り替えが行われるようになっている。
【００６２】
ロータリースイッチ３２は、ロータリースイッチ用の第４の回路基板３３上に配置されている。第４の回路基板３３には、図示しないが、ベゼル１２の位置を読み込むＩＣチップが設けられている。ロータリースイッチ３２としては、コードスイッチなどの絶対位置信号出力スイッチを用いることができる。
【００６３】
次に、本実施形態の指針式表示装置の電気的構成を説明する。図６に、指針式表示装置の構成のブロック図を示す。
【００６４】
上記したように、本実施形態の指針式表示装置は、文字盤１、指針３、ステッパモータ２６、文字盤照明用ＬＥＤ２４、指針照明用ＬＥＤ２８、操作ボタン１３、ベゼル１２、ロータリースイッチ３２等の読み込みスイッチ５９を備えている。なお、読み込みスイッチ５９は、操作ボタン１３から信号も読み込むようになっている。
【００６５】
その他に、この指針式表示装置は、駆動制御部５１、駆動信号制御部５２、空調信号制御部５３、照明制御部５４を有している。駆動制御部５１、駆動信号制御部５２、照明制御部５４が本発明の制御部に相当する。
【００６６】
なお、駆動制御部５１は、上記した第２の回路基板２７上に設けられたＩＣチップである。駆動信号制御部５２、空調信号制御部５３は、上記した第４の回路基板３３上に設けられたＩＣチップである。照明制御部５４は、上記した第１の回路基板２５、第３の回路基板２９上に設けられたＩＣチップである。
【００６７】
駆動制御部５１は、指針３が所定の文字やイラスト２を指し示すように、ステッパモータ２６を制御するものである。駆動制御部５１は、駆動信号制御部５２から入力された駆動信号に基づいて、３つの指針３に対応する各ステッパモータ２６に対して駆動指示信号を出力するようになっている。
【００６８】
駆動信号制御部５２は、駆動制御部５１を作動させるか否かの制御を行うところである。駆動信号制御部５２は、空調信号制御部５３および車両に別途搭載されている車両信号制御部５５から入力された信号に基づいて、駆動制御部５１に対して駆動信号を出力するようになっている。ここで、車両信号制御部５５から入力される信号とは、例えば、イグニッション（ＩＧ）スイッチがＯＮ（オン）、ＯＦＦ（オフ）である旨の信号である。
【００６９】
駆動信号制御部５２は、後述するが、イグニッションスイッチがＯＮからＯＦＦになり、エアコンパネルの電源がＯＦＦとなる場合、すなわち、エアコンパネルの表示を終了する場合に、指針３を停止位置まで所定の動作で作動させる等のエアコンパネルの表示終了処理を実行するようになっている。例えば、駆動信号制御部５２には図示しない記憶部に停止位置および所定動作内容が記憶されており、表示終了処理時では、この停止位置および所定動作内容を読み出すようになっている。
【００７０】
なお、駆動信号制御部５２は、車両信号制御部５５からイグニッションスイッチがＯＦＦである旨の信号が入力された場合、空調信号制御部５３を介して、空調制御部５８に対して、エアコンシステム５７の作動を終了させる旨の信号を出力するようになっている。
【００７１】
また、駆動信号制御部５２は、照明制御部５４に対して、文字盤照明用ＬＥＤ２４、指針照明用ＬＥＤ２８や、操作ボタン用ＬＥＤ等の照明装置の点灯、消灯を指示する旨の信号を出力するようになっている。
【００７２】
また、駆動信号制御部５２は、スピードメータ等のメータを制御するメータ制御部５６に信号を出力したり、メータ制御部５６から信号が入力されたりするようになっている。例えば、イグニッションスイッチがＯＮからＯＦＦになった際、メータ指針の動きや、メータ照明の消灯等の同期信号がメータ制御部５６から駆動信号制御部５２に入力されるようになっている。
【００７３】
このように、駆動信号制御部５２とメータ制御部５６との間で信号のやりとりをさせているのは、後述するように、エアコンパネルの表示終了時において、スピードメータ等のメータ（車両用計器）がアナログメータである場合に、エアコンパネルの指針３の動きとメータの指針の動きとを関連づけさせたり、エアコンパネルの照明をメータの照明に協調させて消灯させたりするためである。
【００７４】
また、駆動信号制御部５２は、図示しないタイマーを有している。このタイマーは、例えば、イグニッションスイッチがＯＦＦである旨の信号が、駆動信号制御部５２に入力された場合に、時間計測を開始するようになっている。なお、後述するが、このタイマーは、必要に応じて、エアコンパネルの表示終了処理に利用される。
【００７５】
空調信号制御部５３は、ロータリースイッチ３２から入力された信号に基づき、車両に搭載されたエアコンシステム５７を制御する空調制御部５８に対して、所定の制御を行うように、空調信号を出力するものである。なお、エアコンシステム５７は、各種センサ、ブロアモータ、コンプレッサ、ポテンシォメータ等を備えている。
【００７６】
また、空調信号制御部５３は、ロータリースイッチ３２から入力された信号に基づき、指針３を駆動させるため、駆動信号制御部５２に対して、制御信号を出力するようになっている。
【００７７】
また、空調信号制御部５３は、空調制御部５８から制御信号が入力されるようになっている。これは、空調制御部５８が自動でエアコンシステム５７を制御している場合に、その制御に応じて、指針３を駆動させるためである。なお、空調信号制御部５３は、ロータリースイッチ３２から信号が入力された場合、その信号を、空調制御部５８から入力された制御信号よりも、優先するようになっている。
【００７８】
照明制御部５４は、文字盤照明用ＬＥＤ２４、指針照明用ＬＥＤ２８の作動を制御するものである。車両信号制御部５５もしくは駆動信号制御部５２から入力された信号に基づいて、文字盤照明用ＬＥＤ２４、指針照明用ＬＥＤ２８に対して、点灯もしくは消灯の作動指示信号を出力するようになっている。
【００７９】
次に、このように構成された指針式表示装置の基本作動について説明する。以下では、図２に示すように、ユーザが送風ファン速度を「ＯＦＦ」から「ＬＯ」に切り替える操作をする場合を例として説明する。
【００８０】
ユーザは、送風ファン速度を表示器１１ａのベゼル１２を、図２中の実線で示す矢印のように、時計回りの方向、すなわち、右方向に６０°回転させる。これにより、ロータリースイッチ３２が切り替わり、図６に示すように、空調信号制御部５３に、ロータリースイッチ３２から送風ファン速度を「ＬＯ」にする旨の信号が入力される。
【００８１】
この信号を受けて、空調信号制御部５３は、空調制御部５８に対して、「ＬＯ」で作動する旨の空調信号を出力する。これにより、エアコンシステム５７は、空調制御部５８に制御され、送風ファン速度を「ＬＯ」とする。
【００８２】
また、このとき、空調信号制御部５３は、駆動信号制御部５２に対して、指針３が「ＬＯ」を指し示すように、制御信号を出力する。
【００８３】
そして、駆動信号制御部５２は、この制御信号を受けた後、車両信号制御部５５から入力された信号に基づいて、駆動制御部５１を駆動させてもよいか否かを判定する。その結果、駆動信号制御部５２が駆動制御部５１を駆動させても良いと判定した場合に、駆動信号制御部５２は、駆動制御部５１に対して、指針３が「ＬＯ」を指し示すように、駆動信号を出力する。
【００８４】
駆動制御部５１は、この駆動信号を受けて、ステッパモータ２６に駆動指示信号を出力する。これにより、ステッパモータ２６を介して、指針３が駆動し、指針３が「ＬＯ」を指し示す。このようにして、送風ファン速度が「ＯＦＦ」から「ＬＯ」に切り替えられる。
【００８５】
次に、駆動信号制御部５２が実行するエアコンパネルの表示終了処理を説明する。図７に、駆動信号制御部５２が実行するエアコンパネルの表示終了処理のフローチャートを示す。
【００８６】
ユーザがイグニッションスイッチをＯＮからＯＦＦに切り替える操作をして、イグニッションスイッチがＯＮからＯＦＦになった場合、ステップ６１では、車両信号制御部５５からイグニッションスイッチがＯＦＦである旨の信号が入力される。これにより、ステップ６２以降では、エアコンパネルは電源ＯＦＦモードとなる。なお、この場合が本発明の指針式表示装置の電源がオフになる場合に相当する。
【００８７】
ステップ６２では、この信号を受けて、この信号が入力される前のエアコンシステム５７の制御状態（操作動作状態）に対応した文字やイラスト２、目盛り４の位置から、所定の停止位置としてのゼロ点まで、指針３を所定動作で移動させる旨の駆動信号を出力する。この駆動信号を受けて、駆動制御部５１は、ステッパモータ２６に駆動信号を出力する。
【００８８】
ここで、ゼロ点および所定動作について説明する。図８に、エアコンパネルの正面図を示す。図８では、図２と同様の構成部に、図２と同じ符号を付している。
【００８９】
ゼロ点とは、１つの表示器において、一端側から他端側まで連続して円弧状に並べられている文字やイラスト２、目盛り４のうち、一番左端に位置するものを指し示す位置である。この位置は、例えば、スピードメータの指針が０ｋｍ／ｋを指すときの位置と同じ位置であり、具体的には、送風ファン速度を示す表示器１１ａでは「ＯＦＦ」、吹き出しモードを示す表示器１１ｂでは「足元吹き出し」、温度を示す表示器１１ｃでは「１８℃」の位置である。
【００９０】
所定の動作については、例えば、各表示器１１ａ〜１１ｃの指針３の移動開始時期を同じとし、指針３の移動速度を同じとすることができる。
【００９１】
したがって、ステッパモータ２６は、駆動制御部５１からの駆動信号を受けて、図８に示すように、各表示器１１ａ〜１１ｃの各指針３を、実際の表示位置（図中破線で示す指針３）から同時に移動開始させ、同じ移動速度で、ゼロ点まで移動させる。
【００９２】
なお、イグニッションスイッチをＯＦＦにしても、指針３を動かすことができるのは、エアコンパネルの駆動信号制御部５２、駆動制御部５１、ステッパモータ２６に対してバッテリから電力が供給され続けているからである。
【００９３】
そして、ステップ６３では、照明制御部５４に対して、文字盤照明用ＬＥＤ２４、指針照明用ＬＥＤ２８を消灯させる旨の信号が出力される。この信号を受けて、照明制御部５４は、文字盤照明用ＬＥＤ２４、指針照明用ＬＥＤ２８を消灯させる。
【００９４】
このとき、文字盤照明用ＬＥＤ２４、指針照明用ＬＥＤ２８が消灯するタイミングを、例えば、指針３がゼロ点に到達した時点とする。
【００９５】
なお、各表示器１１ａ〜１１ｃの指針３がゼロ点に戻るタイミングは、イグニッションスイッチがＯＮからＯＦＦになったときの指針３の位置によって決まるため、各指針３がゼロ点に同時に戻る場合や、ゼロ点に戻るタイミングがバラバラの場合がある。そのため、ゼロ点に指針３が移動した表示器１１ａ〜１１ｂから順次消灯させることとする。もしくは、すべての指針３がゼロ点に到達したときに、すべての表示器１１ａ〜１１ｃを同時に消灯させることとする。
【００９６】
これにより、イグニッションスイッチがＯＮからＯＦＦになり、指針３が実際の表示位置からゼロ点に戻る際、ユーザが照明を消灯させた場合を除いて、指針３の動きを最後までユーザに見せることができる。
【００９７】
具体的には、例えば、以下のようにして、文字盤照明用ＬＥＤ２４、指針照明用ＬＥＤ２８を消灯させることができる。
【００９８】
駆動信号制御部５２は、ステップ６１で、イグニッションスイッチがＯＦＦである旨の信号が入力されたとき、そのときの指針３の表示位置からゼロ点までの距離（角度）と、指針３の移動速度とから、指針３がゼロ点に移動するまでにかかる時間を算出する。
【００９９】
そして、ステップ６３では、イグニッションスイッチがＯＦＦとなってから、その算出した時間後に、駆動信号制御部５２から照明制御部５４に対して消灯させる旨の信号が出力される。これにより、指針３がゼロ点に到達した時点で、文字盤照明用ＬＥＤ２４、指針照明用ＬＥＤ２８が消灯する。
【０１００】
以上のようにして、エアコンパネルの表示終了処理が実行されることで、エアコンパネルの表示が終了する。
【０１０１】
次に、本実施形態の主な特徴について説明する。
【０１０２】
上記したように、本実施形態では、駆動信号制御部５２、駆動制御部５１が、イグニッションスイッチがＯＮからＯＦＦになった場合に、実際のエアコンシステム５７の操作動作状態に対応した文字やイラスト２、目盛り４の位置からゼロ点まで、各表示器１１ａ〜１１ｃの指針３を、同時に移動開始させ、同じ移動速度で移動させるように、ステッパモータ２６を制御するようになっている。
【０１０３】
このように、イグニッションスイッチがＯＮからＯＦＦとなり、エアコンパネルの電源がＯＦＦとなる場合に、指針３を電源ＯＦＦ直前の表示位置から異なる位置に、移動させるようにしているので、指針３による視覚的な演出を図ることができる。この結果、本実施形態によれば、エアコンパネルを魅力あるものとすることができる。
【０１０４】
（第２実施形態）
第１実施形態では、イグニッションスイッチがＯＮからＯＦＦになった場合、３つの指針３をゼロ点まで移動させる際の指針３の所定動作として、各指針３を同時に移動開始させ、同じ速度で移動させる場合を例として説明したが、本実施形態のように、他の動作を採用することもできる。
【０１０５】
第１実施形態では、上記したように、イグニッションスイッチがＯＮからＯＦＦになった場合の各指針３の表示位置が違うとき、３つの指針３がゼロ点に戻るタイミングがバラバラとなる。これに対して、本実施形態では、所定の動作として、３つの指針３がゼロ点に戻るタイミングを同じとする場合を、３つの例を挙げて説明する。
【０１０６】
（１）図９に、本実施形態の第１の例における指針３の所定動作を説明するためのエアコンパネルの正面図を示す。図９では、図２と同様の構成部に、図２と同じ符号を付している。第１の例は、すべての指針３の移動速度を同じとする場合である。
【０１０７】
まず、３つの表示器１１ａ〜１１ｃのうち、イグニッションスイッチがＯＮからＯＦＦになったときの指針３の表示位置が、ゼロ点の位置から遠い表示器１１ａ〜１１ｃの順に、指針３を移動開始させる。例えば、図９では、送風ファン速度を示す表示器１１ａの指針３の表示位置が最もゼロ点から遠い位置であるため、この指針３をゼロ点に向けて移動開始させる。
【０１０８】
そして、指針３の表示位置がゼロ点の位置から２番目、３番目に遠い表示器１１ａ〜１１ｃの指針３の移動開始時期を、移動している他の表示器の指針３が、同じ表示位置（ゼロ点までの距離が同じ）となったときとする。
【０１０９】
例えば、図９では、送風ファン速度を示す表示器１１ａの指針３が、破線で示すように、「１」に位置したとき、吹き出しモードを示す表示器１１ｂの指針３をゼロ点に向けて移動開始させる。
【０１１０】
さらに、送風ファン速度を示す表示器１１ａの指針３が、破線で示すように、「Ｌｏ」と「ＯＦＦ」の間に位置するとともに、吹き出しモードを示す表示器１１ｂの指針３が「バイレベル吹き出し」と「足元吹き出し」の間に位置したときに、温度を示す表示器１１ｃの指針３をゼロ点に向けて移動開始させる。
【０１１１】
指針３の所定動作をこのようにすることで、３つの指針３がゼロ点に戻るタイミングを同じとすることができる。
【０１１２】
（２）図１０に、本実施形態の第２の例における指針３の所定動作を説明するためのエアコンパネルの正面図を示す。図１０では、図２と同様の構成部に、図２と同じ符号を付している。第２の例も、すべての指針３の移動速度を同じとしている。
【０１１３】
３つの表示器１１ａ〜１１ｃの指針３をすべて同じ位置に移動させた後、同時に、各指針３をゼロ点まで移動させる。
【０１１４】
例えば、図１０に示すように、各指針３を、ＭＡＸの位置（一番右端）に移動させる。このとき、各指針３の移動開始時期は、同じ、もしくは、異ならせることができる。そして、ＭＡＸの位置から、同時に、各指針３をゼロ点に移動させる。
【０１１５】
この場合、各指針３が、同じ位置から同じ速度でゼロ点に移動するので、同時にゼロ点に到達する。また、各指針３の動きが一致しており、各指針の動きに統一感を持たせることができる。なお、ＭＡＸの位置に限らず、他の位置とすることもできる。
【０１１６】
（３）第３の例は、指針３の移動速度を異ならせる場合である。すなわち、各指針３の移動を開始するタイミングを同じとする場合、各指針３が同時にゼロ点に到達するように、各指針３がゼロ点の位置まで移動させる距離に応じて、各指針３の移動速度を異ならせる。
【０１１７】
例えば、図８に示すように、送風ファン速度を示す表示器１１ａ、吹き出しモードを示す表示器１１ｂ、温度を示す表示器１１ｃの順に、ゼロ点までの指針３の移動距離が長いので、送風ファン速度を示す表示器１１ａ、吹き出しモードを示す表示器１１ｂ、温度を示す表示器１１ｃの順に、指針３の移動速度を速くする。
【０１１８】
これにより、各指針３の移動を開始するタイミングを同じとする場合であっても、３つの指針３がゼロ点に戻るタイミングを同じとすることができる。
【０１１９】
（第３実施形態）
本実施形態では、指針３の所定動作を、第１、第２実施形態と異なる動作とする場合を説明する。本実施形態のように、３つの指針３の移動開始時期、ゼロ点に到達する時期を異ならせることもできる。図１１に、本実施形態における指針３の所定動作を説明するためのエアコンパネルの正面図を示す。図１１では、図２と同様の構成部に、図２と同じ符号を付している。
【０１２０】
例えば、図１１に示すように、左端に位置する送風ファン速度を示す表示器１１ａ、その隣の中央に位置する吹き出しモードを示す表示器１１ｂ、その隣の右端に位置する温度を示す表示器１１ｃの順に、指針３をゼロ点に向けて移動開始させる。
【０１２１】
このとき、左端の表示器１１ａの指針３がゼロ点に到達する前に、隣の表示器１１ｂの指針３を移動開始させたり、左端の表示器１１ａの指針３がゼロ点に到達した後に、隣の表示器１１ｂの指針３を移動開始させたりすることができる。
【０１２２】
このように、３つの表示器１１ａ〜１１ｃの各指針３のうち、一端側に配置された表示器１１ａから反対側に配置された表示器１１ｃの順に、各指針３を順次、ゼロ点まで移動開始させる。これにより、３つの指針３の動きを、スタジアムで観客が行うウェーブのように見せることができ、指針３による演出を図ることができる。
【０１２３】
（第４実施形態）
本実施形態では、イグニッションスイッチがＯＮからＯＦＦになった場合に、エアコンパネルの指針３の動きや消灯を、車両に搭載されているアナログメータ（指針を有する車両用計器）の指針の動きや消灯に協調させる場合を説明する。アナログメータは、例えば、スピードメータ、タコメータ等である。
【０１２４】
図１２に、本実施形態における駆動信号制御部５２が実行するエアコンパネルの表示終了処理のフローチャートを示す。本実施形態の表示終了処理は、図７に示す各ステップにおいて、ステップ６１と、ステップ６２との間のステップ７１と、ステップ７２とが追加されたものであるため、以下では、図７と異なる点について、主に説明する。
【０１２５】
ステップ６１の後、ステップ７１では、メータ制御部５６から同期信号が入力されたか否かが判定される。
【０１２６】
この同期信号とは、メータの指針の動きや、照明の消灯に関する信号である。すなわち、メータ制御部５６に車両信号制御部５５からイグニッションスイッチがＯＮである旨の信号が入力された場合に、メータ制御部５６がメータの指針を動かしたり、照明を消灯させたりする前に駆動信号制御部５２に対して出力する信号である。なお、この同期信号が本発明の第１、第２の同期信号に相当する。
【０１２７】
そして、メータ制御部５６から同期信号が入力された場合、ＹＥＳと判定され、ステップ６２に進む。
【０１２８】
一方、メータ制御部５６から同期信号が入力されない場合、ＮＯと判定され、ステップ７２に進む。なお、メータ制御部５６から同期信号が入力されない場合としては、例えば、故障により、メータ制御部５６から駆動信号制御部５２に対して信号が出力されない場合や、駆動信号制御部５２とメータ制御部５６との間で通信が行われない車両に本実施形態の指針式表示装置が搭載された場合が該当する。
【０１２９】
ステップ７２では、駆動信号制御部５２のタイマーが所定時間を経過したかが判定され、所定時間を経過した場合に、ステップ６２に進む。
【０１３０】
ステップ６２では、第１実施形態で説明したように、各指針３がゼロ点に戻される。このとき、指針３の所定の動作を、例えば、第１実施形態と同様に、各表示器１１ａ〜１１ｃの指針３の移動開始時期を同じとし、指針３の移動速度を同じとする。
【０１３１】
ただし、本実施形態では、メータ制御部５６から同期信号が入力された場合では、駆動信号制御部５２は、その同期信号に基づいたタイミングで、各指針３を移動させるようにする。一方、タイマーが所定時間を経過した場合では、駆動信号制御部５２は、そのタイミングで、各指針３を移動させるようにする。
【０１３２】
続いて、ステップ６３では、第１実施形態で説明したように、文字盤照明用ＬＥＤ２４、指針照明用ＬＥＤ２８が消灯する。      
【０１３３】
ただし、本実施形態では、メータ制御部５６から同期信号が入力された場合では、駆動信号制御部５２、照明制御部５４は、その同期信号に基づいたタイミングで、各照明装置２４、２８を消灯させる。一方、タイマーが所定時間を経過した場合では、駆動信号制御部５２、照明制御部５４は、そのタイミングで、各照明装置２４、２８を消灯させるようにする。
【０１３４】
このようにして、駆動信号制御部５２の表示終了処理が実行される。
【０１３５】
次に、本実施形態の主な特徴を説明する。
【０１３６】
（１）本実施形態では、ステップ７１で、メータ制御部５６から同期信号が入力されたと判定された場合、ステップ６２で、駆動信号制御部５２は、その同期信号に基づいたタイミングで、各指針３を移動させるように制御している。
【０１３７】
一方、ステップ７１で、メータ制御部５６から同期信号が入力されなかったと判定された場合、ステップ７２で、タイマーで時間を計測し、所定時間経過後に、ステップ６２で、駆動信号制御部５２が、各指針３を移動させるように、制御している。
【０１３８】
これにより、イグニッションスイッチがＯＮからＯＦＦになった場合、アナログメータの指針がゼロ点に移動するようになっている場合、エアコンパネルの各指針３がゼロ点に移動開始するタイミングを、アナログメータの指針がゼロ点に移動開始するタイミングと一致（同期）させることができる。
【０１３９】
また、これに限らず、各指針３がゼロ点に戻るタイミングを、スピードメータ、タコメータ等の車両用計器の指針がゼロ点に戻るタイミングと一致させることもできる。この場合、各指針３の動きを、第２実施形態で説明した動きとすることが好ましい。
【０１４０】
なお、各指針３の動きが、メータの指針の動きと連動しているなとユーザに感じさせることができれば、エアコンパネルの指針３と、メータの指針とにおいて、移動開始やゼロ点に到達するタイミングが異なっていても良い。  
【０１４１】
（２）本実施形態では、文字盤照明用ＬＥＤ２４、指針照明用ＬＥＤ２８の消灯についても、指針３と同様に、ステップ７１で、メータ制御部５６から同期信号が入力されたと判定された場合、ステップ６３で、駆動信号制御部５２、照明制御部５４が、その同期信号に基づいたタイミングで、各照明装置２４、２８を消灯させるように制御している。
【０１４２】
一方、ステップ７１で、メータ制御部５６から同期信号が入力されなかったと判定された場合、ステップ７２で、タイマーで時間を計測し、所定時間経過後に、ステップ６３で、駆動信号制御部５２、照明制御部５４が、各照明装置を消灯させるように、制御している。  
【０１４３】
これにより、文字盤照明用ＬＥＤ２４、指針照明用ＬＥＤ２８を消灯させるタイミングを、車両用計器が有する計器用照明装置が消灯するタイミングと一致させることができる。
らす。
【０１４４】
また、これに限らず、文字盤照明用ＬＥＤ２４、指針照明用ＬＥＤ２８を消灯させるタイミングと、車両用計器が有する計器用照明装置が消灯するタイミングとを、一定時間ずらすこともできる。
【０１４５】
このような制御を駆動信号制御部５２に実行させることで、指針３の動きと、メータの指針の動きとを対応、すなわち、連動させ、エアコンパネルの照明の消灯のタイミングを、メータの照明の消灯のタイミングに対応させることができる。
【０１４６】
なお、本実施形態では、エアコンパネルの指針３の動きと、エアコンパネルの消灯のタイミングの両方を、メータと協調させる場合を例として説明したが、指針３の動き、消灯のタイミングのどちらか一方のみをメータと協調させることもできる。
【０１４７】
また、本実施形態では、文字盤照明用ＬＥＤ２４と指針照明用ＬＥＤ２８の両方が備えられている場合を例として説明したが、少なくとも、これらのどちらか一方を有する場合においても、本発明を適用することができる。
【０１４８】
（他の実施形態）
（１）図１３に他の実施形態の第１の例におけるエアコンパネルのブロック図を示す。図１３では、図６と同様の構成部には、図６と同一の符号を付しているので、図６と異なる点について説明する。
【０１４９】
上記した各実施形態では、車両信号制御部５５から駆動信号制御部５２にイグニッションスイッチがＯＦＦである旨の信号が入力された場合に、駆動信号制御部５２が表示終了処理（ステップ６１を除くステップ）を実行していた。
【０１５０】
これに対して、本実施形態では、車両信号制御部５５から空調制御部５８にイグニッションスイッチがＯＦＦである旨の信号が入力された場合、空調制御部５８から空調信号制御部５３、駆動信号制御部５２に向けて、エアコンパネルを電源オフモードとする旨の信号が出力される。
【０１５１】
そして、この電源オフモードとする旨の信号が入力された場合に、駆動信号制御部５２が、表示終了処理（ステップ６１を除くステップ）を実行するようにすることもできる。
【０１５２】
（２）上記した各実施形態では、ゼロ点の位置を、図に示すように左端の位置（左下を指す位置）とする場合を例として説明したが、他の位置とすることもできる。なお、ゼロ点の位置は、スピードメータ等の車両用計器の指針の動きと連動させる場合では、例えば、スピードメータでのスピードがゼロのときの指針の位置に対応する位置であることが好ましい。
【０１５３】
（３）上記した各実施形態では、エアコンパネルの電源がＯＦＦになる場合に、ゼロ点の位置に指針３を移動させる場合を例として説明したが、他の位置に移動させることもできる。すなわち、停止位置としては、任意の文字やイラスト２、目盛り４を選択することでき、エアコンパネルの電源がＯＦＦになる場合、電源ＯＦＦ直前のエアコンシステム５７の操作動作状態に関係無く、設定した停止位置に指針３を移動させれば良い。
【０１５４】
（４）上記した各実施形態では、エアコンパネルが３つの表示器１１ａ、１１ｂ、１１ｃを有する場合を例として説明したが、表示器の数を、２つ以下や４つ以上等の他の数とすることもできる。
【０１５５】
（５）上記した各実施形態では、駆動制御部５１、駆動信号制御部５２、空調信号制御部５３、照明制御部５４、空調制御部５８を別々の制御部とする場合を例として説明したが、これらのすべてを１つの制御部としたり、これらのうちの２つ以上を１つの制御部としたりすることもできる。
【０１５６】
（６）上記した各実施形態では、リング状のベゼル１２の内側に、文字盤１や指針３からなる表示器１１が配置されている場合を例として説明したが、この場合に限らず、表示器１１とダイアルノブ１２との配置を変更することもできる。例えば、操作スイッチと、文字盤１および指針３とが離間して配置された指針式表示装置に、本発明を適用することもできる。
【０１５７】
（７）上記した各実施形態では、本発明を車両のエアコンパネルに適用した場合を例として説明したが、オーディオ、カメラ等の他の技術分野における操作パネルに対して本発明を適用することもできる。この場合、操作対象がオーディオ、カメラ等となる。
【図面の簡単な説明】
【０１５８】
【図１】本発明の第１実施形態におけるエアコンパネルの正面図である。
【図２】図１に示すエアコンパネルにおいて、ベゼル１２の動きと指針３の動きとを説明するための図である。
【図３】図１中のＡ−Ａ線断面図である。
【図４】図１中のＢ−Ｂ線断面図である。
【図５】図１中のＣ−Ｃ線断面図である。
【図６】本発明の第１実施形態におけるエアコンパネルの構成を示すブロック図である。
【図７】図６中の駆動信号制御部５２が実行するエアコンパネルの表示終了処理のフローチャートである。
【図８】エアコンパネルの表示終了時における指針３の動きを説明するためのエアコンパネルの正面図である。
【図９】本発明の第２実施形態の第１の例において、エアコンパネルの表示終了時における指針３の動きを説明するためのエアコンパネルの正面図である。
【図１０】本発明の第２実施形態の第２の例において、エアコンパネルの表示終了時における指針３の動きを説明するためのエアコンパネルの正面図である。
【図１１】本発明の第３実施形態において、エアコンパネルの表示終了時における指針３の動きを説明するためのエアコンパネルの正面図である。
【図１２】本発明の第４実施形態において、駆動信号制御部５２が実行するエアコンパネルの表示終了処理のフローチャートである。
【図１３】本発明の他の実施形態におけるエアコンパネルの構成を示すブロック図である。
【符号の説明】
【０１５９】
１…文字盤、２…文字やイラスト、３…指針、４…目盛り、
１１…表示器、１２…ベゼルダイアルノブ、１３…操作ボタン、１４…カバー、
２１…スモークレンズ、２２…導光レンズ、２３…文字盤用ハウジング、
２４…文字盤照明用ＬＥＤ、２５…第１の回路基板、２６…ステッパモータ、
２７…第２の回路基板、２８…指針照明用ＬＥＤ、２９…第３の回路基板、
３０…ベゼル用ハウジング、３１…結合部、３２…ロータリースイッチ、
３３…第４の回路基板。
【図１】
2006250615.tif 000003
【図２】
2006250615.tif 000004
【図３】
2006250615.tif 000005
【図４】
2006250615.tif 000006
【図５】
2006250615.tif 000007
【図６】
2006250615.tif 000008
【図７】
2006250615.tif 000009
【図８】
2006250615.tif 000010
【図９】
2006250615.tif 000011
【図１０】
2006250615.tif 000012
【図１１】
2006250615.tif 000013
【図１２】
2006250615.tif 000014
【図１３】
2006250615.tif 000015